(57)【要約】      （修正有）【課題】全身マッサージを容易に実現でき、疲れを解消でき、冷湿布、温湿布にも使用できるマルチアングルマッサージガンを提供する。【解決手段】マルチアングルマッサージガンは、ハウジング１と、パーカッションマッサージデバイス３と、回動グリップ４と、回動制限機構５と、温度制御デバイス６と、を備える。ハウジング１は、バレル部１１およびグリップ部１２によって一体に形成されている。パーカッションマッサージデバイス３は、バレル部１１の先端部に配置され、温度制御デバイス６は、バレル部１１の末端部に配置されている。回動制限機構５は、回動グリップ４の一端に配置されている。バレル部１１は、グリップ部１２の一端に配置されており、回動グリップ４は、回動制限機構５によってグリップ部１２の他端に回動可能に連結されている。【選択図】図１
0003228625.tif 000002
【実用新案登録請求の範囲】
【請求項１】
使用者の疲労や痛みを緩和させるためのマルチアングルマッサージガンであって、
グリップ部と、前記グリップ部の一端に、前記グリップ部に垂直に設けられたバレル部と、を有するハウジングと、
前記バレル部のヘッド部に設けられたパーカッションマッサージデバイスと、
前記グリップ部に他端に設けられた回動制限機構と、
前記回動制限機構に回動可能に連結し、前記グリップ部から略水平に伸び、前記バレル部と前記グリップ部とが構成する平面で回動する回動グリップと、
備えるマルチアングルマッサージガン。
【請求項２】
前記回動グリップには、製造時に前記回動グリップと一体化された摩擦面をさらに形成される請求項１に記載のマルチアングルマッサージガン。
【請求項３】
前記回動グリップは、トルクを増やすために前記グリップ部から略水平に伸び、マッサージ時に前記パーカッションマッサージデバイスから前記回動グリップに対する作用力を減らす請求項１に記載のマルチアングルマッサージガン。
【請求項４】
前記回動グリップは、前記回動制限機構を枢軸として、前記グリップ部から±９０°の回動範囲で回動する請求項１に記載のマルチアングルマッサージガン。
【請求項５】
前記回動グリップは、前記回動範囲内において、回動角度を調整するための複数のシフトを有する請求項２に記載のマルチアングルマッサージガン。
【請求項６】
前記バレル部の末端部に設けられ、前記使用者に対する冷／温湿布機能を提供する温度制御デバイスをさらに備える請求項１に記載のマルチアングルマッサージガン。
【請求項７】
前記温度制御デバイスは、
前記バレル部の末端部を封止するように設けられ、熱を前記使用者の皮膚に伝達する金属カバーと、
前記金属カバーの内側に設けられ、冷却／加熱機能を実行する冷却シートと、
前記冷却シートの内側に設けられ、前記冷却シートに熱を提供する放熱シートと、
前記放熱シートの内側に設けられたファンと、
前記ファンの内側に設けられ、前記ファンを載置するための溝を有するファンブロックと、
を有する請求項４に記載のマルチアングルマッサージガン。
【請求項８】
前記温度制御デバイスは、前記放熱シートと前記冷却シートとの間に、並びに前記冷却シートと前記金属カバーとの間に設けられた複数の熱伝導フィルムをさらに有する請求項４に記載のマルチアングルマッサージガン。
【請求項９】
前記金属カバーは、アルミニウム合金によって構成される請求項４に記載のマルチアングルマッサージガン。
【請求項１０】
前記グリップ部に受けられ、前記ファン及び前記冷却シートと電気的に接続する制御用電源をさらに備え、
前記制御用電源は、
前記グリップ部の内部に設けられたリチウム電池パックと、
前記リチウム電池パックと電気的に接続するＰＣＢ基板と、
前記グリップ部に形成されたボタン穴を通して設けられ、外部から押して操作するためのボタンコンポーネントと、
を有する請求項１に記載のマルチアングルマッサージガン。
【請求項１１】
前記回動制限機構は、前記回動グリップの回動機能を制限するためのボタンをさらに有する請求項１に記載のマルチアングルマッサージガン。
【請求項１２】
前記パーカッションマッサージデバイスは、
前記バレル部の先端部の外部に設けられたマッサージヘッドと、
前記バレル部の先端部の内部に設けられ、前記バレル部に対して略水平方向に往復運動するように前記マッサージヘッドを駆動する駆動機構と、
を有する請求項１に記載のマルチアングルマッサージガン。
【請求項１３】
前記駆動機構は、
一端に挿入ジョイング部を、他端にネジジョイング部を有し、前記挿入ジョイング部に挿入口を形成され、前記マッサージヘッドに形成されたプラグを前記挿入口に挿入することで、前記マッサージヘッドを前記一端に接続し、前記ネジジョイング部に第１ネジ穴を形成されるピストンロッドと、
太ヘッド、ボディ、及び細ヘッドを有するコンロッドと、
前記細ヘッドを通して前記第１ネジ穴に締めつく第１ネジと、
第２ネジと、
底面に偏心軸を、上面中心に固定穴を設けられ、第２ネジ穴を形成され、前記第２ネジが前記太ヘッドを通して前記第２ネジ穴に締めつくカムと、
モータシャフトを有し、前記モータシャフトを介して前記固定穴に挿入し、前記カムを介して前記コンロッドを偏心回動させることで、前記ピストンロッド及び前記マッサージヘッドを略水平方向に往復運動させるモータと、
を有する請求項１０に記載のマルチアングルマッサージガン。
【考案の詳細な説明】
【技術分野】
【０００１】
本考案は、マルチアングルマッサージガンに関し、特に、マルチアングル曲げ機能を有するマルチアングルマッサージガンに関する。
【背景技術】
【０００２】
現在、マッサージガンの利用は、ますます普及してきている。ハンドのマッサージガンは、日常での利用に更なる便利性をもたらし、運動後の筋肉の解しなど、従来のマッサージツールに比して、より多くの人から支持を受けている。
【考案の概要】
【考案が解決しようとする課題】
【０００３】
先行技術では、特許番号２０１８２０８２２７６９．５に開示されているように、スポーツリカバリーマッサージガンはハンドの利便性を活かした上、接触面を増やすためにボール型のマッサージヘッドを設計されただけでなく、使用範囲を拡大するために回動ヘッドも設計されている。しかしながら、これはマッサージガンのマッサージ機能を強化するだけであり、構造自体がコンパクトではなくなり、使い勝手が悪くなる。本考案の考案者は、使用者が肩、首、背中、足裏などの部位に対して使用する際に、自分では旨く届かない可能性があると実感し、これらの体の部位を簡単にマッサージできる回動機能を設計しました。
【０００４】
以上の問題に対して、本考案は、全身マッサージを容易に実現でき、疲れを解消でき、さらに冷湿布、温湿布にも使用できる充実な機能を備えるマルチアングルマッサージガンを提供する。
【課題を解決するための手段】
【０００５】
以上の目的及び他の目的を達成するために、本考案の一実施例にかかるマルチアングルマッサージガンは、使用者の疲労や痛みを緩和させるためのマルチアングルマッサージガンであって、グリップ部と、前記グリップ部の一端に、前記グリップ部に垂直に設けられたバレル部と、を有するハウジングと、前記バレル部のヘッド部に設けられたパーカッションマッサージデバイスと、前記グリップ部に他端に設けられた回動制限機構と、前記回動制限機構に回動可能に連結し、前記グリップ部から略水平に伸び、前記バレル部と前記グリップ部とが構成する平面で回動する回動グリップと、備えることを特徴とする。
【０００６】
本考案の一実施例にかかるマルチアングルマッサージガンにおいて、前記回動グリップには、製造時に前記回動グリップと一体化された摩擦面をさらに形成されてもよい。
【０００７】
本考案の一実施例にかかるマルチアングルマッサージガンにおいて、前記回動グリップは、トルクを増やすために前記グリップ部から略水平に伸び、マッサージ時に前記パーカッションマッサージデバイスから前記回動グリップに対する作用力を減らしてもよい。
【０００８】
本考案の一実施例にかかるマルチアングルマッサージガンにおいて、前記回動グリップは、前記回動制限機構を枢軸として、前記グリップ部から±９０°の回動範囲で回動してもよい。
【０００９】
本考案の一実施例にかかるマルチアングルマッサージガンにおいて、前記回動グリップは、前記回動範囲内において、回動角度を調整するための複数のシフトを有してもよい。
【００１０】
本考案の一実施例にかかるマルチアングルマッサージガンにおいて、前記バレル部の末端部に設けられ、前記使用者に対する冷／温湿布機能を提供する温度制御デバイスをさらに備えてもよい。
【００１１】
本考案の一実施例にかかるマルチアングルマッサージガンにおいて、前記温度制御デバイスは、前記バレル部の末端部を封止するように設けられ、熱を前記使用者の皮膚に伝達する金属カバーと、前記金属カバーの内側に設けられ、冷却／加熱機能を実行する冷却シートと、前記冷却シートの内側に設けられ、前記冷却シートに熱を提供する放熱シートと、前記放熱シートの内側に設けられたファンと、前記ファンの内側に設けられ、前記ファンを載置するための溝を有するファンブロックと、を有してもよい。
【００１２】
本考案の一実施例にかかるマルチアングルマッサージガンにおいて、前記温度制御デバイスは、前記放熱シートと前記冷却シートとの間に、並びに前記冷却シートと前記金属カバーとの間に設けられた複数の熱伝導フィルムをさらに有してもよい。
【００１３】
本考案の一実施例にかかるマルチアングルマッサージガンにおいて、前記金属カバーは、アルミニウム合金によって構成されてもよい。
【００１４】
本考案の一実施例にかかるマルチアングルマッサージガンにおいて、前記グリップ部に受けられ、前記ファン及び前記冷却シートと電気的に接続する制御用電源をさらに備え、前記制御用電源は、前記グリップ部の内部に設けられたリチウム電池パックと、前記リチウム電池パックと電気的に接続するＰＣＢ基板と、前記グリップ部に形成されたボタン穴を通して設けられ、外部から押して操作するためのボタンコンポーネントと、を有してもよい。
【００１５】
本考案の一実施例にかかるマルチアングルマッサージガンにおいて、前記回動制限機構は、前記回動グリップの回動機能を制限するためのボタンをさらに有しても良い。
【００１６】
本考案の一実施例にかかるマルチアングルマッサージガンにおいて、前記パーカッションマッサージデバイスは、前記バレル部の先端部の外部に設けられたマッサージヘッドと、前記バレル部の先端部の内部に設けられ、前記バレル部に対して略水平方向に往復運動するように前記マッサージヘッドを駆動する駆動機構と、を有しても良い。
【００１７】
本考案の一実施例にかかるマルチアングルマッサージガンにおいて、前記駆動機構は、一端に挿入ジョイング部を、他端にネジジョイング部を有し、前記挿入ジョイング部に挿入口を形成され、前記マッサージヘッドに形成されたプラグを前記挿入口に挿入することで、前記マッサージヘッドを前記一端に接続し、前記ネジジョイング部に第１ネジ穴を形成されるピストンロッドと、太ヘッド、ボディ、及び細ヘッドを有するコンロッドと、前記細ヘッドを通して前記第１ネジ穴に締めつく第１ネジと、第２ネジと、底面に偏心軸を、上面中心に固定穴を設けられ、第２ネジ穴を形成され、前記第２ネジが前記太ヘッドを通して前記第２ネジ穴に締めつくカムと、モータシャフトを有し、前記モータシャフトを介して前記固定穴に挿入し、前記カムを介して前記コンロッドを偏心回動させることで、前記ピストンロッド及び前記マッサージヘッドを略水平方向に往復運動させるモータと、を有してもよい。
【００１８】
以上のように、本発明のマルチアングルマッサージガンは、ボタンコンポーネントを押すことで、電源をオン／オフできる。また、マッサージヘッドの機能をオンにすると、ＰＣＢ基板が駆動機構を制御してマッサージヘッドを軸方向に往復運動させる。それによって、疲労を緩和できるマッサージ機能を実現できる。また、本考案は、回動グリップをあらたに設けることのよって、使用者が背中、太ももおよび他の身体部位をより簡単にマッサージできるようにし、力の加える方法も人間工学的である。さらに、本考案には温度制御デバイスをさらに追加されており、冷却機能をオンにすると、ＰＣＢ基板がファンの出力を制御して、金属カバーに向けて送風できる。加熱機能をオンにすると、ＰＣＢ基板が冷却シートの出力を制御し、この際、放熱シートに近い冷却シートの一端がコールドエンドと呼び、他端がホットエンドを呼ぶ。放熱シートからの熱をコールドエンドで吸収し、ホットエンドから熱を放出することで、加熱機能を実現して、金属カバーの位置に熱を発生できる。また、冷却機能と加熱機能は、金属カバーを使用して冷湿布と温湿布としても使用できる。これによって、高い治療効果とコンパクトな構成の両立させることができる。
【図面の簡単な説明】
【００１９】
【図１】図１は本考案の一実施例にかかるマッサージガンアセンブリの正面図である。
【図２】図２は本考案の一実施例にかかるマッサージガンの分解図である。
【図３】図３は本考案の一実施例にかかるマッサージガンのバレル部の分解図である。
【図４】図４は本考案の一実施例にかかるマッサージガンの回動グリップが逆時計周りを９０°回動した際の図である。
【図５】図５は本考案の一実施例にかかるマッサージガンの回動グリップが時計周りを９０°回動した際の図である。
【図６】図６は本考案の一実施例にかかるマッサージガンの冷却装置の分解図である。
【図７】図７は本考案の一実施例にかかるマッサージガンのアセンブリ斜視図である。
【考案を実施するための形態】
【００２０】
本考案の技術的特徴、内容、および利点と達成可能な効果を理解するために、現在の作成を図面と組み合わせて、実施形態の表現を以下に詳細に説明する。以下の各図は、説明と補足のみを目的としており、新しいモデルの実装後の実際の縮尺と正確な構成ではないことを留意する必要があるしたがって、添付図面の縮尺と構成の関係は解釈されるべきではなく、実際の実装における新しいモデルの権利の範囲に限定されるべきではない。
【００２１】
前述の問題に解決を目的とし、本考案は、全身マッサージを容易に実現でき、疲れを解消でき、さらに冷湿布、温湿布にも使用できる充実な機能を備えるマルチアングルマッサージガンを提供する。
【００２２】
本考案の実施例と技術的特徴を初歩的に説明するには、図１と図７を同時に参照する必要がある、図１は、本考案の実施形態のアセンブリの概略正面図であり、図７は、本考案の実施形態のアセンブリの斜視図である。本考案のマッサージガンは、ハウジング１と、パーカッションマッサージデバイス３と、回動グリップ４と、回動制限機構５と、温度制御デバイス６と、を備える。ハウジング１は、バレル部１１およびグリップ部１２によって一体に形成されている。パーカッションマッサージデバイス３は、バレル部１１の先端部に配置され、温度制御デバイス６は、バレル部１１の末端部に配置されている。回動制限機構５は、回動グリップの一端に配置されている。バレル部１１は、グリップ部１２の一端に配置されており、回動グリップ４は、回動制限機構５によってグリップ部１２の他端に回動可能に連結されている。
【００２３】
図７に示すように、回動グリップ４には、製造時に回動グリップと一体化された直線状の滑り留めを付く摩擦面をさらに形成されてる。
【００２４】
回動グリップ４は、トルクを増やすためにグリップ部１２から略水平に伸びている。このように、使用者が、回動グリップ４を握って使用する際に、パーカッションマッサージデバイス３から回動グリップ４を通して手部に作用する振動力を減らし、怪我のリスクを下げることができる。
【００２５】
なお、審査官に本考案の技術的特徴および構造により簡単に理解してもらうために、上記の摩擦面は、図７に示す回動グリップ４にのみ描かれているが、図１〜図６に示す実施例の回動グリップ４に摩擦面が存在しないことを意味していない。
【００２６】
本考案の実施例および技術的特徴をより明確に説明するために、図１〜図３を同時に参照して説明する。本考案の一実施例は、ハウジング１と、制御用電源２と、パーカッションマッサージデバイス３と、回動グリップ４と、回動制限機構５と、温度制御デバイス６と、を備える。ハウジング１は、バレル部１１とグリップ部１２と一体に形成されている。制御用電源２は、グリップ部１２に配置される。パーカッションマッサージデバイス３は、バレル部１１の先端部に配置され、温度制御デバイス６は、バレル部１１の末端部に配置されている。制御用電源２は、パーカッションマッサージデバイス３および温度制御デバイス６の動作をそれぞれ制御する。
【００２７】
ハウジング１についてさらに説明する。制御用電源２はさらに、リチウム電池パック２１と、ボタンコンポーネント２２とＰＣＢ基板２３と、を含む。ハウジング１の内部空間を最大限に利用するために、グリップ部１２には、ボタンコンポーネント２２を設置するためのボタン穴１２１が設けられている。ボタンコンポーネント２２はＰＣＢ基板２３に接続され、ＰＣＢ基板２３はリチウム電池パック２１に接続される。リチウム電池パック２１は、グリップ部１２の内側に配置されており、ＰＣＢ基板２３及びリチウム電池パック２１と電気的に接触しており、ボタンコンポーネント２２を外部から押すことにより操作できることで、ハウジング１の内部空間でより十分に利用できる。
【００２８】
回動グリップ４は、バレル部１１とグリップ部１２とがなす平面内で回動できる。具体的には、回動グリップ４は、回動制限機構５を回動軸として、グリップ部１２の周りを±９０°（計１８０°）の範囲内で、回動角度を調整できる複数のシフト付きで回動できる。
【００２９】
図５に示すように、回動グリップ４は、グリップ部１２の周りを時計回りに９０度回動した場合、使用者は、回動グリップ４を持ってバレル部１１を背中や腰などの届きにくい部位に用意に届くようにできるので、パーカッションマッサージデバイス３の利用度が増し、マッサージできる範囲を広けることができる。これにより、使用者の上半身を背中や腰などの届きにくい部分まで大きく捻ることなく簡単にマッサージでき、快適な使用感が得られる。
【００３０】
図１に示すように、回動グリップ４がデフォルド位置にある場合（回動させていない場合）は、グリップ部１２を「伸ばす」ことに相当し、使用者は足や下腿の筋肉を容易にマッサージすることができる。図４に示すように、回動グリップ４はグリップ部１２の周りを逆時計回りに９０度回動した場合、使用者は、バレル部１１を大腿部の裏側、もう一方の腕の内側に合わせてマッサージするのに適している。その際、マッサージガンの構造は人間工学に基づいており、背中や内側の筋肉をリラックスさせるのに役立ちる。
【００３１】
グリップ部１２には回動軸１２２が配置され、回動グリップ４には回動孔４１が配置されている。回動グリップ４は、回動孔４１を介して回動軸１２２の外側にスリーブされ、これにより、回動グリップ４は、グリップ部１２に回動可能に接続される。回動グリップ４は、回動制限機構５を含む。回動制限機構５は、バックル５１、ボタン５２およびバネ５３を有する。バックル５１は、回動グリップ４に固定されている。バックル５１の中央には、ボタン５２が通過する貫通孔５１１が設けられており、貫通孔５１１の周囲には、リング状の制限ラッチ５１２が設けられている。ボタン５２は、リング形状の制限ラッチ５１２と協働するリング形状の制限スロット５２１を備える。異なる制限カードスロットは、異なる制限ラッチ５１２と協働して、異なる角度で複数のシフトを形成する。ボタン５２は、バネ５３を介してグリップ部１２に弾性的に接続されている。グリップ部１２には、ボタン５２が通過するためのボタン穴１２３が設けられている。
【００３２】
回動角度を変えたい場合、まず、ボタン５２を押して制限スロット５２１を押し下げ、制限スロット５２１と制限ラッチ５１２の連携を解除する。次に、回動グリップ４のシフトを回して調整すると同時に、回動グリップ４を回転させて制限ラッチ５１２を回転させる。回動角度の調整が完了したら、ボタン５２を放して、制限カードスロット５２１が飛び出し、制限ラッチ５１２が制限スロット５２１に埋め込まれる。これによりグリップ部１２に対する回動グリップ４の回動が規制され、シフトが固定される。したがって、回動グリップ４をグリップ部１２に対して回動させて、異なる角度やシフトでの調整を行うことができ、回動制限機構５によっても調整・固定を行うことができる。
【００３３】
パーカッションマッサージデバイス３は、マッサージヘッド３１と駆動機構３２とを備えている。バレル部１１の先端部に第１開口１３を形成され、駆動機構３２は、バレル部１１の先端部の内部に配置される。ＰＣＢ基板２３は、駆動機構３２に接続されており、マッサージヘッド３１は、バレル部１１の先端部の外部に設けられている。第１開口１３は、マッサージヘッド３１と駆動機構３２とを接続するために形成されており、駆動機構３２は、マッサージヘッド３１を押してバレル部１１に対して略水平に往復移動させるために使用される。
【００３４】
駆動機構３２は、ピストンロッド３２１、コンロッド３２２、第１ネジ３２３、第２ネジ３２４、カム３２５、モータ３２６、およびモータ固定用ブラケット３２７を含む。ピストンロッド３２１の両端は、それぞれ挿入ジョイング部３２１１とネジジョイング部３２１２を有する。挿入ジョイング部３２１１には挿入口を設けられており、マッサージヘッド３１にはプラグが設けられている。プラグを挿入口に挿入することにより、マッサージヘッド３１がピストンロッド３２１の先端に挿入されるる。このように、本考案は、構造の異なるマッサージヘッドを脱着することで併用することができる。
【００３５】
図３に示すように、ネジジョイング部３２１２には、第１ネジ穴３２１３を形成されている。コンロッド３２２は、太ヘッド３２２１、ボディ３２２２、および細ヘッド３２２３を有する。ボディ３２２２は、太ヘッド３２２１と細ヘッド３２２３とを接続するために使用される。第１ネジ３２３は、コンロッド３２２の細ヘッド３２２３を介して第１ネジ孔３２１３に接続され、これにより、ピストンロッド３２１がコンロッド３２２の細ヘッド３２２３に固定される。カム３２５の底面には偏心軸３２５１が設けられ、カム３２５の上面の中央には固定穴３２５２が設けられている。偏心軸３２５１には、第２ネジ穴３２１４を形成されている。第２ネジ３２４は、コンロッド３２２の太ヘッド３２２１を通過し、第２ネジ穴３２１４に接続され、膜３２５の偏心軸３２５１は、コンロッド３２２の太ヘッド３２２１に固定される。固定穴３２５２は、モータ３２６のモータ軸３２６１を挿入するために使用される。モータ固定用ブラケット３２７は、モータ３２６をバレル部１１に固定する。
【００３６】
一実施例にかかるマッサージ機能の動作のプロセスは、制御用電源２がモータ３２６を回転駆動すると、モータ軸３２６１がかむ３２５を回転駆動する。カム３２５の偏心軸３２５１は偏心回転し、偏心軸３２５１に接続された太ヘッド３２２１は、ボディ３２２２を介して回転運動を細ヘッド３２２３の往復運動に変換する。これにより、ピストンロッド３２１およびマッサージヘッド３１が押されて軸方向での往復移動を行われる。
【００３７】
本考案は、コンロッド３２２の負荷容量がさらに向上する。太ヘッド３２２１と細ヘッド３２２３は、それぞれボールベアリング３２２４、３２２５を備えており、太ヘッド３２２１と細ヘッド３２２３の内径に応じてボールベアリング３２２４、３２２５の種類が選択されている。マッサージガンは、ボタンコンポーネント２２を押すことにより制御用電源２をオン／オフすることができ、マッサージヘッド３１のマッサージ機能がオンになると、ＰＣＢ基板２３は駆動機構３２を制御してマッサージヘッド３１を軸方向に往復動させる。
【００３８】
上記マッサージ機能に加えて、本考案は温度制御デバイス６も設けられており、冷却および加熱の機能を実現できる。これにより、冷湿布または温湿布にも使用でき、治療部位をより速く回復させることできる。
【００３９】
図２、図４および図６に示すように、バレル部１１の末端部には、温度制御デバイス６を設置するための第２開口１４を形成されている。温度制御デバイス６は、金属カバー６１、放熱シート６２、冷却シート６３、ファン６４およびファンブロック６５を備える。ファンブロック６５は、ファン６４を配置するための溝６５１を形成している。ファン６４の背面には、放熱シート６２が取り付けられている。放熱シート６２の背面は、冷却シート６３に密着しており、冷却シート６３の背面は、金属カバーシート６１に密着している。金属カバー６１は、シールは第２開口１４に取り付けられている。ファン６４および冷却シート６３は、ＰＣＢ基板２３に電気的に接続されている。
【００４０】
放熱シート６２と冷却シート６３との間には熱伝導フィルム６６が設けられ、金属カバー６１と冷却シート６３との間にも熱伝導フィルム６７が設けられている。熱伝導フィルム６６、６７は、熱をより効果的に集中させて伝達することができる。金属カバー６１は、アルミニウム合金製である。
【００４１】
一実施形態における冷却および加熱機能の動作プロセスにおいて、制御用電源２は、ボタンコンポーネント２２を押すことによってオンまたはオフにされる。冷却機能がオンになると、ＰＣＢ基板２３は、ファン６４の出力を制御して、金属カバー６１の位置に冷感を発生させる。加熱機能がオンになると、ＰＣＢ基板２３は冷却シート６３の出力を制御する。放熱シート６２に近い冷却シート６３の一端はコールドエンドであり、反対の他端はホットエンドである。 ホットエンドは放熱することで加熱機能を発揮し、金属カバー６１の位置に温冷感を発生させる。冷却および加熱機能は金属カバー６１に用いることによって、マッサージ位置に対して冷湿布および温湿布マッサージを行える、マッサージ機能を組み合わせることで、創傷部をより有効に回復させることができる。
【００４２】
第１開口１３および第２開口１４は、マッサージヘッド４と金属カバー６１とが同一の水平軸上となるように、バレル部１１の先端部と末端部にそれぞれ配置されている。このように、マッサージヘッド３１でマッサージした後、マッサージヘッド３１を逆にして冷湿布および温湿布用に使用でき、回動グリップ４と併用することもできる。
【００４３】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００４４】
１…ハウジング
１１…バレル部
１２…グルップ部
１２１…ボタン穴
１２２…回動軸
１２３…ボタン穴
１３…第１開口
１４…第２開口
２…制御用電源
２１…リチウム電池パック
２２…ボタンコンポーネント
２３…ＰＣＢ基板
３…パーカッションマッサージデバイス
３１…マッサージヘッド
３２…駆動機構
３２１…ピストンロッド
３２１１…挿入ジョイング部
３２１２…ネジジョイング部
３２１３…第１ネジ穴
３２１４…第２ネジ穴
３２２…コンロッド
３２２１…太ヘッド
３２２２…ボディ
３２２３…細ヘッド
３２２４…ボールベアリング
３２２５…ボールベアリング
３２３…第１ネジ
３２４…第２ネジ
３２５…カム
３２５１…偏心軸
３２５２…固定穴
３２６…モータ
３２６１…モータ軸
３２７…モータ固定用ブラケット
４…回動グリップ
４１…回動孔
５…回動制限機構
５１…バックル
５１１…貫通孔
５１２…制限ラッチ
５２…ボタン
５２１…制限スロット
５３…バネ
６…温度制御デバイス
６１…金属カバー
６２…放熱シート
６３…冷却シート
６４…ファン
６５…ファンブロック
６５１…溝
６６…熱伝導フィルム
６７…熱伝導フィルム
【図１】
0003228625.tif 000003
【図２】
0003228625.tif 000004
【図３】
0003228625.tif 000005
【図４】
0003228625.tif 000006
【図５】
0003228625.tif 000007
【図６】
0003228625.tif 000008
【図７】
0003228625.tif 000009
【手続補正書】
【提出日】令和2年7月28日(2020.7.28)
【手続補正１】
【補正対象書類名】実用新案登録請求の範囲
【補正対象項目名】全文
【補正方法】変更
【補正の内容】
【実用新案登録請求の範囲】
【請求項１】
使用者の疲労や痛みを緩和させるためのマルチアングルマッサージガンであって、
グリップ部と、前記グリップ部の一端に、前記グリップ部に垂直に設けられたバレル部と、を有するハウジングと、
前記バレル部のヘッド部に設けられたパーカッションマッサージデバイスと、
前記グリップ部に他端に設けられた回動制限機構と、
前記回動制限機構に回動可能に連結し、前記グリップ部から略水平に伸び、前記バレル部と前記グリップ部とが構成する平面で回動する回動グリップと、
備えるマルチアングルマッサージガン。
【請求項２】
前記回動グリップには、製造時に前記回動グリップと一体化された摩擦面をさらに形成される請求項１に記載のマルチアングルマッサージガン。
【請求項３】
前記回動グリップは、トルクを増やすために前記グリップ部から略水平に伸び、マッサージ時に前記パーカッションマッサージデバイスから前記回動グリップに対する作用力を減らす請求項１に記載のマルチアングルマッサージガン。
【請求項４】
前記回動グリップは、前記回動制限機構を枢軸として、前記グリップ部から±９０°の回動範囲で回動する請求項１に記載のマルチアングルマッサージガン。
【請求項５】
前記回動グリップは、前記回動範囲内において、回動角度を調整するための複数のシフトを有する請求項２に記載のマルチアングルマッサージガン。
【請求項６】
前記バレル部の末端部に設けられ、前記使用者に対する冷／温湿布機能を提供する温度制御デバイスをさらに備える請求項１に記載のマルチアングルマッサージガン。
【請求項７】
前記温度制御デバイスは、
前記バレル部の末端部を封止するように設けられ、熱を前記使用者の皮膚に伝達する金属カバーと、
前記金属カバーの内側に設けられ、冷却／加熱機能を実行する冷却シートと、
前記冷却シートの内側に設けられ、前記冷却シートに熱を提供する放熱シートと、
前記放熱シートの内側に設けられたファンと、
前記ファンの内側に設けられ、前記ファンを載置するための溝を有するファンブロックと、
を有する請求項６に記載のマルチアングルマッサージガン。
【請求項８】
前記温度制御デバイスは、前記放熱シートと前記冷却シートとの間に、並びに前記冷却シートと前記金属カバーとの間に設けられた複数の熱伝導フィルムをさらに有する請求項６乃至７に記載のマルチアングルマッサージガン。
【請求項９】
前記金属カバーは、アルミニウム合金によって構成される請求項７に記載のマルチアングルマッサージガン。
【請求項１０】
前記グリップ部に受けられ、前記ファン及び前記冷却シートと電気的に接続する制御用電源をさらに備え、
前記制御用電源は、
前記グリップ部の内部に設けられたリチウム電池パックと、
前記リチウム電池パックと電気的に接続するＰＣＢ基板と、
前記グリップ部に形成されたボタン穴を通して設けられ、外部から押して操作するためのボタンコンポーネントと、
を有する請求項７に記載のマルチアングルマッサージガン。
【請求項１１】
前記回動制限機構は、前記回動グリップの回動機能を制限するためのボタンをさらに有する請求項１に記載のマルチアングルマッサージガン。
【請求項１２】
前記パーカッションマッサージデバイスは、
前記バレル部の先端部の外部に設けられたマッサージヘッドと、
前記バレル部の先端部の内部に設けられ、前記バレル部に対して略水平方向に往復運動するように前記マッサージヘッドを駆動する駆動機構と、
を有する請求項１に記載のマルチアングルマッサージガン。
【請求項１３】
前記駆動機構は、
一端に挿入ジョイング部を、他端にネジジョイング部を有し、前記挿入ジョイング部に挿入口を形成され、前記マッサージヘッドに形成されたプラグを前記挿入口に挿入することで、前記マッサージヘッドを前記一端に接続し、前記ネジジョイング部に第１ネジ穴を形成されるピストンロッドと、
太ヘッド、ボディ、及び細ヘッドを有するコンロッドと、
前記細ヘッドを通して前記第１ネジ穴に締めつく第１ネジと、
第２ネジと、
底面に偏心軸を、上面中心に固定穴を設けられ、第２ネジ穴を形成され、前記第２ネジが前記太ヘッドを通して前記第２ネジ穴に締めつくカムと、
モータシャフトを有し、前記モータシャフトを介して前記固定穴に挿入し、前記カムを介して前記コンロッドを偏心回動させることで、前記ピストンロッド及び前記マッサージヘッドを略水平方向に往復運動させるモータと、
を有する請求項１２に記載のマルチアングルマッサージガン。